Podtech/llm-jp-corpus-v4-ja_patent huggingface dataset:
(57)【要約】【課題】  サンダルを屋外に置いても雨が溜まりにくく、合わせて濡れたサンダルを乾きやすくするサンダルを提供する。【解決手段】  サンダルにスタンドを設けて、そのスタンドを立てることにより雨が溜まりにくくし、合わせて濡れたサンダルが乾きやすくしたものである。  サンダルを立てるスタンドは角度を変えられるため、サンダルを立てる高さを調節することができる。  スタンドは弾性体により連結しており、サンダルから容易に外れないようにしている。  スタンドの床面等への接触部分はカバーで覆い床面等の保護を行い、弾性体の部分にもカバーで覆っている。  また、スタンド部分を戻せば、普通にサンダルを利用する事が出来る。【選択図】図１
2014094248.tif 000002
【特許請求の範囲】
【請求項１】
サンダルにスタンドを設けたことを特徴とするスタンドつきサンダル。
【請求項２】
スタンドはサンダルの面に対して角度を変えることができることを特徴とする請求項１に記載のスタンドつきサンダル。
【請求項３】
スタンドは弾性体により連結されていることを特徴とする請求項１に記載のスタンドつきサンダル。
【請求項４】
スタンドの床面等への接触部分及び、弾性体をカバーで覆っていることを特徴とする請求項１に記載のスタンドつきサンダル。
【発明の詳細な説明】
【技術分野】
【０００１】  本発明は、サンダルにスタンドを設けたスタンドつきサンダルに関するものである。
【背景技術】
【０００２】  従来は、サンダルを屋外に置いて雨が溜まらないようにするには、サンダルを裏返すか壁面等に立てかけておくしかなかった。
【発明の概要】
【発明が解決しようとする課題】
【０００３】  従来は、サンダルを屋外に置いて雨に濡れた場合、サンダルを壁面等に立てかけ溜まった雨を流したり、雑巾等で雨を拭うかして履いていました。【０００４】  本発明は、このような従来の問題を解決しようとするものであり、サンダルに雨が溜まりにくくし、合わせて濡れたサンダルが乾きやすくなることを目的とするものである。
【課題を解決するための手段】
【０００５】  そして、本発明は上記目的を達成するために、サンダルにスタンドを設けて屋外に置くときはスタンドを立てて雨が溜まりにくくし、合わせて濡れたサンダルが乾きやすくしたものである。【０００６】  また、サンダルを立てるスタンドはサンダルの面に対して角度が自由に曲がり、サンダルの高さを変えることができる。しかも弾性体によりサンダルから容易に外れないようにしている。【０００７】  さらに、スタンドの床面等への接触部分はカバーで覆い床面等の保護を行い、弾性体に触れないようにカバーで覆っている。
【発明の効果】
【０００８】  上記したように本発明のスタンドつきサンダルは、サンダルに雨が溜まりにくく、合わせて濡れたサンダルが乾きやすくなり、壁面等に立てかけたり、雑巾等で雨を拭う事もなく、気持ちよくサンダルを使うことができる。【０００９】  スタンドを戻せば、普通にサンダルを利用する事が出来る。【００１０】  サンダルの使い勝手が向上しサンダルの利用促進に効果を発揮するものである。
【図面の簡単な説明】
【００１１】
【図１】  本発明のスタンドつきサンダルの斜視図
【図２】  同  正面図
【図３】  同  側面図
【図４】  同  平面図
【発明を実施するための形態】
【００１２】  以下、本発明の実施形態を図１〜図４に基づいて説明する。
【００１３】  図においては、１はサンダルを立てるスタンドで、立てることにより雨が溜まりにくくし、合わせて濡れたサンダルが乾きやすくなる。スタンドが当たる床面等の保護や弾性体に触れないようにするカバー２、サンダルからスタンドが容易に外れないように連結している弾性体３である。
【符号の説明】
【００１４】  １  スタンド
２  カバー
３  弾性体
【図１】
2014094248.tif 000003
【図２】
2014094248.tif 000004
【図３】
2014094248.tif 000005
【図４】
2014094248.tif 000006
(57)【要約】【課題】  柄が半円柱の２本の両手用杖で、握り部、柄中央部、ゴム先部にそれぞれ磁石と鉄片を埋め込み、着脱を容易に出来、２本の杖を合わせると１本の杖となるような杖を提供する。【解決手段】  右手用杖Ａの半円柱の柄１ａの上部端に握り２ａ、下部端にゴム先３ａを固着させる。そして、握り部４ａ、柄中央部５ａ、ゴム先部６ａに磁石を埋め込む。同様に、左手用杖Ｂの半円柱の柄１ｂの上部端に握り２ｂ、下部端にゴム先３ｂを固着させる。そして、握り部４ｂ、柄中央部５ｂ、ゴム先部６ｂに鉄片を埋め込むことを特徴とする。【選択図】図１
2014094249.tif 000002
【特許請求の範囲】
【請求項１】
柄が半円柱、握りがＴ型の２本の両手用杖で、片方の杖の握り部、柄中央部、ゴム先部に磁石を、もう片方の握り部、柄中央部、ゴム先部に鉄片を埋め込み、容易に２本の杖を着脱出来るようにした杖で、２本の杖を合わせると１本の杖となるような杖。
【請求項２】
柄が半円柱の握りがＩ型の請求項１の杖。
【発明の詳細な説明】
【技術分野】
【０００１】  この発明は、柄が半円柱の２本の両手用杖で、合わせると１本の杖になる杖に関するものである。
【技術背景】
【０００２】  高齢者になると足腰の弱りから歩行時バランスを崩したり、少しの段差で転倒して大きな怪我を負う等の危険性が増す。
その対策に杖を持つことが有効である。
従来の杖は、柄が円柱で、片手に持って用いている。
【発明の開示】
【発明が解決しようとする課題】
【０００３】  杖を１本持つと足が１本増えた位に安定性が増す。
１本の杖より２本の杖を持つほうが、より安定性を増す。スキー・ウオーキングで２本の杖を持つことからも明らかである。しかし、従来の杖を２本持つと、行動の多様性から、使わない時や、収納時かさばり不便である。
【課題を解決するための手段】
【０００４】  本発明は、歩行バランスを増大させる両手用杖にして、杖を２本持った時の不便を除くためになされたもので、杖を２等分した構造である。
それを図面について説明すれば、右手用杖Ａの半円柱の柄１ａの上部端に握り２ａ、下部端にゴム先３ａを固着させる。そして、握り部４ａ、柄中央部５ａ、ゴム先部６ａに磁石を埋め込む。
同様に、左手用杖Ｂの半円柱の柄１ｂの上部端に握り２ｂ、下部端にゴム先３ｂを固着させる。
そして、握り部４ｂ，柄中央部５ｂ、ゴム先部６ｂに鉄片を埋め込む。
このような構造なので杖Ａと、杖Ｂは容易に着脱できる。
【発明の効果】
【０００５】  片手杖の時は前かがみ、目線も下がってしまうが、両手に杖を持つと自然に腹筋を引き、背筋が伸びるので立姿勢、歩行バランスがより一層安定する。その結果、足も高く上げられるので、少しの段差につまづく事も無くなり、転倒の危険も減少する。また、姿勢が良くなるので若若しく見える。
２本の杖は、容易に着脱できる構造なので使わない時や、収納時合わせただけで、あたかも１本の杖となるので、かさばる事が無くなり不便が解消された。
【発明を実施するための最良の形態】
【０００６】  従来の杖の柄は円柱である。本考案の杖の柄は半円柱で、２本の両手用杖を合わせると柄は円柱となるものである。
使わない時や、収納時便利なように片側に磁石、もう片側に鉄片を取り付けて着脱を容易にした。
握りはＴ型の代わりにＩ型でも良い。
【図面の簡単な説明】
【０００７】
【図１】本発明の斜視図である。
【図２】図１のｃ線の断面図である。
【図３】図１のｄ線の断面図である。
【図４】本発明の杖Ａ、杖Ｂを合わせた時の側面図である。
【図５】ほかの形態の斜視図である。
【符号の説明】
【０００８】    １ａ，１ｂは半円柱の柄
２ａ，２ｂは握り
３ａ，３ｂはゴム先
４ａは握り部磁石
４ｂは握り部鉄片
５ａは柄中央部磁石
５ｂは柄中央部鉄片
６ａはゴム先部磁石
６ｂはゴム先部鉄片
【図１】
2014094249.tif 000003
【図２】
2014094249.tif 000004
【図３】
2014094249.tif 000005
【図４】
2014094249.tif 000006
【図５】
2014094249.tif 000007
(57)【要約】      （修正有）【課題】従来の自動車に透明化安全システムをつくる。【解決手段】車外映像をプロジェクターで写し、自動車の透明化安全システムとする。【選択図】なし【特許請求の範囲】
【請求項１】
〔０００１〕
従来の「自動車」がスイッチを押す又はバックする又は
2014094732.tif 000004
【発明の詳細な説明】
【技術分野】
【０００２】本発明は従来の自動車の内部を透明化して安全を計る発明である。
2014094732.tif 000002
【０００３】従来の自動車には内部を透明にする安全システムがなかった。
【発明が解決しようとしている課題】
【０００４】従来の自動車には透明安全システムがなかった。
2014094732.tif 000003
【０００５】従来の自動車に透明安全システムを追加する。
【発明の効果】
【０００６】従来の自動車の透明化安全パフォーマンスである。
【発明を実施するための形態】
【０００７】従来の自動車の透明化安全パフォーマンスである。
(57)【要約】      （修正有）【課題】一体構造から成る二重プレートの先端を細くした差し込み口を設けた紙パックの片方の屋根傾斜部分の開口具を提供する。【解決手段】一体構造から成る二重プレート１の先端を細くした差し込み口を設けた紙パック開口具で、紙パック開口具の差し込み口を紙パックの片方の屋根部分の傾斜部に奥まで差し込み軽く捻るだけで堅く接着されている箇所が簡単に外れ注ぎ口を高齢者又、手の不自由な障害者でも片手で楽に開くことができる。【選択図】図３
2014094780.tif 000002
【特許請求の範囲】
【請求項１】
一体構造から成る二重プレートの先端を細くした差し込み口を設けたことを特徴とする紙パック開口具。
【発明の詳細な説明】
【技術分野】
【０００１】本発明は、紙パック注ぎ口を楽に開口することができる紙パックに関するものである。
【背景技術】
【０００２】従来、紙パック注ぎ口を簡単に開けることができる補助具はなかつた。
【発明の開示】
【発明が解決しようとする課題】
【０００３】そのために、次のような問題点があった。
（イ）手の不自由な高齢者は、堅く接着されている注ぎ口を開けることは大変難儀である。
本発明は、これらの問題点を解決するためになされたものである。
【課題を解決するための手段】
【０００４】一体構造から成る二重プレートの先端を細くした差し込み口を設けた。以上を特徴とする紙パック開口具である。
【発明の効果】
【０００５】紙パック開口具の差し込み口を紙パック注ぎ口片方の傾斜部に奥まで差し込み軽く捻るだけで堅く接着されている箇所が簡単に外れ注ぎ口を楽に開くことができる。高齢者又、手の不自由な障害者には大変便利である。
【発明を実施するための最良の形態】
【０００６】以下、本発明の実施の形態について説明する。
（イ）一体構造から成る二重プレートの先端を細くした差し込み口を設ける。
本発明は、以上のような構成で、これを使用するときは、
紙パック開口具の差し込み口を紙パック注ぎ口片方の傾斜部に奥まで差し込み軽く捻るだけで堅く接着されている箇所が簡単に外れ注ぎ口を楽に開くことができる。高齢者又、手の不自由な障害者には大変便利である。
【実施例１】
【０００７】図３に示すように二重プレートを紙パックの片方の屋根部分に差し込みプレートを軽く捻る。片手で楽に開口できる。
【図面の簡単な説明】
【０００８】
【図１】本発明の側面図
【図２】本発明の平面図
【図３】本発明の紙パック開口具を紙パックの片方の屋根部に差し込んだ状態を示す斜視図
【符号の説明】
【０００９】１  二重プレート
２  差し込み口
【図１】
2014094780.tif 000003
【図２】
2014094780.tif 000004
【図３】
2014094780.tif 000005
(57)【要約】【目的】補充用自立袋体の上部の一端を切り欠き、補充口を通して液体内容物を、本体内部に補給するが、補給後に切取部２を安易に破棄する為に、排水口が詰まり思わぬ水漏れ事故が多発している。そこで本発明者が、切取部２を補充用袋体と一体化する事で水漏れ事故を無くす事が出来ると考えたのである。【構成】補充用自立袋体（１）の開口部を設ける切取り線より開口部を設け、当該開口部から本容器内の液体を充填時に於いて、切取った切取部（２）に複数の切込部（２１），（２２），（２３）を設け、補充用袋体（１）の上部、平行位置に略円形で切込部に比例した係止孔（３）を設けた、補充用自立袋体からなる事を特徴とする切欠き係合部を設けた補充用自立袋体である。【選択図】図１
2014094781.tif 000002
【特許請求の範囲】
【請求項１】
本容器内の液体を補充する目的で製作された、補充用自立袋体（１）の開口部を設ける切取り線より開口部を設け、当該開口部から本容器内へ液体を補充時に於いて、切取った切取部（２）に複数の平行な切込部（２１），（２２），（２３）を設け、補充用袋体（１）の上部、平行位置に略円形で切込部に比例した係止孔（３）を設けた、補充用自立袋体からなる事を特徴とする切欠き係合袋体。
【発明の詳細な説明】
【発明の詳細な説明】
【発明の属する分野】
【０００１】  この発明は、例えば、食品では（天ぷら油等の液体）、医療品では（点滴液等の液体薬品）、日用品では（液体石鹸・液体洗剤）等の分野に用いられ、これら各種の液体を補充目的の自立型包装容器を容易に整理できる構造に関する。
【背景技術】
【０００２】  上記、自立型包装容器は、特に液体石鹸・液体洗剤で使用されており、その理由として内容物の消耗が多い為と考えられ、また、本体容器上部に構造が複雑な手動ポンプを設けて噴射する機構を設けた物が一般的であり、この手動ポンプにより内容物の液体石鹸・液体洗剤を噴出する構造である。【０００３】  そして、本体容器の内容物の液体石鹸・液体洗剤が減少時に、補充用の自立型包装容器に切り取り線を設けることで、切取部を開口させ、ポンプの付いている本体容器内へ補充する方法が一般的に知られている。【０００４】  そこで、このような自立型包装容器は通常、容易に加工・製造でき、その収容物を保護するようなシート部材を熱溶着することで構成されており、一般的に、そのようなシート部材の材料は、低温度で溶着できる加工性に優れた材料（例えばポリエチレン）及び、収容物を保護するようにガス透過性の低い材料（例えばナイロン、アルミ）を用途に応じて適宜積層した構造となっている。
【発明が解決しようとする課題】
【０００５】  従来の自立型包装容器の構成及びその製造法を簡単に説明すると、（図１）に示されるように、２枚のシート部材を重ね、各側縁部１２，１３を溶着すると共に、下部には底面シート１１の３枚の端部を溶着して、本体内に使用する液状物を注入すると、上部に比較して底部の容積が広いので、重心が底部に移動し、本体の袋体が自立できるように構造になっている。
【０００６】  通常、これらの本体液体容器は、上部に噴射ポンプを設けた物が多数あり、リサイクル面でも自立型包装容器が発展してきたものと思われる。そして、本体容器の液体物を使用して無くなった時に、補充用自立袋体の上部の一端を切り欠き、補充口を通して液体内容物を、噴射ポンプを外して、本体内部に補給後に再度噴射ポンプで蓋をする方式が採用され使用されている。
【０００７】  しかし、内部液体物の補給が終了後に、切取部２を安易に破棄する為に、排水口が詰まり思わぬ水漏れ事故が多発している。そこで本発明者が、切取部２を補充用袋体と一体化する事で水漏れ事故を無くす事が出来ると考えたのである。
【課題を解決するための手段】
【０００８】  補充用自立袋体（１）の開口部を設ける切取り線より開口部を設け、当該開口部から本容器内の液体を充填時に於いて、切取った切取部（２）に複数の切込部（２１），（２２），（２３）を設け、補充用袋体（１）の上部、平行位置に略円形で切込部に比例した係止孔（３）を設けた、補充用自立袋体からなる事を特徴とする切欠き係合部を設けた補充用自立袋体である。
【発明の実施する形態】
【０００９】  補充用自立袋体（１）の開口部を作る切取線に対して、２辺の一方に、整列した切込（２１），（２２），（２３）切込加工した切取部（２）からなり、更に補充用自立袋体（１）の上部平行部に略円形の係止孔（３）を設け、切取った切取部（２）を係止孔（３）に回転させる様に挿入する事で、切込（２１），（２２），（２３）のいずれかと略直角に係合して切取部が動かない状態で保持した時点でその役目を終了するものである。
【実施例】
【００１０】  以下、この発明の好適な実施例を例示的に詳しく説明する。ただし、この実施例に記載されている構成方法、構成装置、構成内容、構成部品の寸法、材質、形状、その相対配置などは、特に特定的な記載がないかぎりは、この発明の範囲をそれらのみに限定する趣旨のものでなく、単なる説明例にすぎない。【００１１】  補充用自立袋体（１）より切取った切取部（２）の、切取り線で切り取った辺以外の他の一片の周縁に２〜３箇所の切込（２１），（２２），（２３）を入れたものであり、この場合は係止孔（３）の直径が７ｍｍの場合に於いては、その長さは、２ｍｍ〜５ｍｍ程度で２ｍｍ〜４ｍｍの間隔に設けるのが好適な寸法である、更に、係止孔（３）の位置は補充用袋体（１）の上部切取部（２）の平行位置に略円形の係止孔（３）を設けたものである。【００１２】  補充用袋体（１）より切取った切取部（２）の切取り線で切り取った辺以外の他の一片の周縁に２〜３箇所の切込（２１），（２２），（２３）を入れたものであり、この場合は係止孔（３）の直径が１０ｍｍの場合に於いては、その長さは、３ｍｍ〜６ｍｍ程度で３ｍｍ〜５ｍｍの間隔に設けるのが好適な寸法である。【００１３】  補充用袋体（１）より切取った切取部（２）の切取り線で切り取った辺以外の他の一片の周縁に２〜３箇所の切込（２１），（２２），（２３）を入れたものであり、この場合は係止孔（３）の直径が５ｍｍの場合に於いては、その長さは、１ｍｍ〜３ｍｍ程度で１ｍｍ〜３ｍｍの間隔に設けるのが好適な寸法である。
【発明の効果】
【００１４】  切取部（２）を補充用自立袋体と一体化すると、使用後の補充用袋体を破棄する事で余分な切欠き部を紛失し排水溝を塞ぎ、水漏れ事故を無くす事かが出来たのである。
また、資源のリサイクルにも貢献する一石二鳥の効果を発揮するものであり、資源の分別化を目指した構成となった。
【図面の簡単な説明】
【図１】  本発明の斜視図である。
【図２】  切取部の拡大図である。
【図３】  切取部を孔で係止した説明図である。
【符号の説明】１・・・補充用自立袋体
２・・・切取部
３・・・係止孔
４・・・液体噴出容器
１１・・・補充用自立袋体側面
１２・・・補充用自立袋体側面
１３・・・補充用自立袋体底部
２１・・・切取線
２２・・・切込
２３・・・切込
２４・・・切込
【図１】
2014094781.tif 000003
【図２】
2014094781.tif 000004
【図３】
2014094781.tif 000005
(57)【要約】      （修正有）【課題】日常生活において湧泉を支点に重心がないために、体の左右前後、ねじれ等のバランスが崩れるために体の歪みが生じ、それが体の不調の原因となる、体軸を矯正するために使う器具を提供する。【解決手段】右足の湧泉を支点に重心が係るように体のバランスを矯正することが最も主な特徴です。体の重心が右足湧泉にくることによって人軸・体軸が整い体の歪みが解消します。その結果、体の不調が解消されます。【選択図】なし【特許請求の範囲】
【請求項１】
体軸を矯正するために使う器具
器具の形状および角度と鼻緒の位置を特徴とする器具
１．前方から後方に１５°傾斜している。
2.左側面から右側面に５°傾斜している。
3.左前方角から右後方角に向かって１０°傾斜している。
上記角度により本発明は、立体３D構造になっている。
さらに、鼻緒の前方位置は、中心部から１.7ミリ左側面の位置にある。
【発明の詳細な説明】
【技術分野】
【０００１】
本発明は、体軸を本来の状態に整える容易な器具である。
【背景技術】
【０００２】
発明者は、40年間の間、体の矯正の仕事に携わり延べ10万人以上を観察してきました。
その中で、膝や腰の痛み、肩首のコリ、内臓の不調、歯の噛み合わせ、頭痛、うつ病など様々な体の不調の原因が体の歪みであることを統計的に把握することができました。
そして、すべての症例において必ず右足首が固いことにも気づきました。
左足首に比べて右足首が固いために起こる様々な体の不調が右足首の可動範囲を左足首と同じように動く様にすることによって体の不調が改善されるようになりました。
以上の事から、右足首が原因で体の不調が起こることが分りました。
右足首をさらに詳しく調べると足の平に体重が乗った時の支点がどこにあるかが問題であることが分わかりました。
体重が足の平に乗った時に支点が湧泉のツボにある状態が理想的であるが体の不調を訴えている方のすべての方が湧泉のツボを支点に体重が乗っていない事により人軸がずれるということがわかりました。
ここで、人軸を説明すると北極点と南極点を直線に結ぶ2点が地球の地軸であるのに対し、人間の場合は、頭のツボ（百会）が北極点で、右足のツボ（湧泉）が南極点にあてはまる場所でありその2点を結ぶのが人軸である。
また、相対関係にある体軸とは、地球の自転軸が人間の体軸にあてはまります。
湧泉のツボに体重が乗ることにより理想的な体軸を形成することができます。
また、相対関係にある体軸も同時に理想的な状態に形成できます。
【先行技術文献】
【特許文献】
【０００３】
【特許文献１】本発明は、右足のみに使用する器具であり特定部位の改善ではなく体すべての歪みを解消するものであり今までに出願した発明した初目具は、すべて左右の足に使用するものであり特定部位を改善すのものため、本発明はまったく別の発想から生まれたものである。変形性膝関節症外版母子矯正用履物（特開2004-242988）、先端部分を後部より高くした履物（特開平10-286104）、ウオーキングシュウズ（平1-112704）、健康補助履物（実用新案登録第３０８０５１１号）とは、まったく別の発明になります。
【発明の概要】
【発明が解決しようとする課題】
【０００４】
日常生活において湧泉を支点に重心がないために、体の左右前後、ねじれ等のバランスが崩れるために体の歪みが生じ、それが体の不調の原因となります。
【課題を解決するための手段】
【０００５】
右足の湧泉を支点に重心が係るように体のバランスを矯正することが最も主な特徴です。
【発明の効果】
【０００６】
体の重心が右足湧泉にくることによって人軸・体軸が整い体の歪みが解消します。
その結果、体の不調が解消されます。
【図面の簡単な説明】
【０００７】
【図１】2か所の角度と鼻緒の位置を特定してを表している。左側面図で前方から後方１５°に傾斜している。前方面から見て右側面から左側面に５度傾斜している。後方面図では、鼻緒の位置の説明図を表している。
【図２】上面図の鼻緒の位置の説明下面図の３か所の角度との図の説明
【図３】体軸矯正器の使用前と使用後の説明
【産業上の利用可能性】
【０００８】
すべての方に対し体の歪みを改善することがで来ます。
部分的な改善ではなく体全体を矯正することが可能で治療および予防に使用することができます。
【図１】
2014050438.tif 000002
【図２】
2014050438.tif 000003
【図３】
2014050438.tif 000004
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
体軸を矯正するために使う器具であって、
右足のみに使用され、
前方から後方に１５°傾斜し、
左側面から右側面に５°傾斜し、
左前方角から右後方角に向かって１０°傾斜していることを特徴とする、
体軸を矯正するために使う器具。
【請求項２】
さらに、鼻緒の前方位置は、中心部から１.7ｃｍ左側面の位置にあることを特徴とする、
請求項１に記載の体軸を矯正するために使う器具。
(57)【要約】【課題】  本発明は、旋回駆動するベアリングシャフトを偏心軸受の長孔内を往復動させることで該上の振とうを直線往復振とうするようにした装置において、生じていた接触音と関連する障害を解消するようにした直線往復運度型の振とう機を新規に提供することにある。【解決手段】  本発明は、旋回駆動するベアリングシャフトを偏心軸受の長孔内を往復動させることで該上の振とうを直線往復振とうするようにした装置において、該ベアリングシャフトのベアリングと長孔を有す偏心軸受を上下２段にて形成し、上と下のベアリングを相対するそれぞれの長孔の一側と他側に違えて接面させて、ベアリングシャフトの長孔への押し当りによる接触音と関連するガタつきなどの障害を解消するようにして課題を解決する。【選択図】図１
2014050764.tif 000002
【特許請求の範囲】
【請求項１】
旋回駆動するベアリングシャフトを偏心軸受の長孔内を往復動させることで該上の振とう台を直線往復振とうするようにした装置において、該ベアリングシャフトのベアリングと長孔を有す偏心軸受を上下２段にて形成し、上と下のベアリングをそれぞれの長孔の一側と他側に違えて接面させて、ベアリングシャフトの長孔への押し当りによる接触音の発生と関連するガタつきなどの障害を解消するようにしたことを特徴とする直線往復運動型の振とう機。
【請求項２】
一方の偏心軸受の外側にベアリングシャフトと長孔との間の隙間を連動して調整するアジャスターを設ける請求項１に記載の直線往復運動型の振とう機。
【発明の詳細な説明】
【技術分野】
【０００１】
本発明は直線往復運動型の振とう機に関するものである。
【背景技術】
【０００２】
この種の振とう機としては特公平３−２９４５２号公報および特公平６−２８７１５号公報がある。
両公報ともそれぞれ第９図，第８図において示しているように、旋回駆動するベアリングシャフトを偏心軸受の長孔内を往復動させることで旋回運動を往復運動（レシプロ）に変換して該上の振とう台を直線往復振とうするようにしている。
【先行技術文献】
【特許文献】
【０００３】
【特許文献１】特公平３−２９４５２号公報
【特許文献２】特公平６−２８７１５号公報
【発明の概要】
【発明が解決しようとする課題】
【０００４】
しかしながら、ベアリングシャフトと長孔との間にはベアリングシャフトを往復動させるために図３に示すようにベアリングと長孔との間に隙間Ｓが必要である。両公報の第９図，第８図はこの隙間Ｓを省略しているのである。このベアリングシャフトは長孔内を往復動する際の旋回圧によって隙間Ｓを押して長孔に当たる接触音が間断なく生じてうるさいという課題がある。
【０００５】
またベアリングシャフトが長孔の両面に間断なく繰返し押し当たることで振とう機をガタつかせ、摩耗を早めるなどの関連した障害が生じているという課題もある。
【課題を解決するための手段】
【０００６】
本発明は、ベアリングシャフトのベアリングと長孔を有す偏心軸受を上下２段にて形成し、上と下のベアリングをそれぞれが相対する長孔の一側と他側に違えて接面させて、ベアリングシャフトの長孔への押し当り衝突による接触音と関連するガタつきなどの障害を解消するようにして、かかる課題を解決するようにしたのである。
【発明の効果】
【０００７】
本発明は旋回駆動するベアリングシャフトのベアリングと偏心軸受をそれぞれ上下２段ずつにして、ベアリングシャフトのベアリングを一側と他側で長孔に接面させたことで、ベアリングシャフトは長孔の長手両面に接面した状態で往復動するので、ベアリングシャフトの長孔への押し当たりによる接触音が一切生じなくなるという効果を生ずる。
【０００８】
これに伴って振とう機のガタつき、摩耗等の関連する障害も解消するという効果を生ずる。
【図面の簡単な説明】
【０００９】
【図１】第１実施例を示す説明図で、（ａ）は要部の正断面図、（ｂ）は同、平面図
【図２】第２実施例を示す正面断面図
【図３】従来例の説明平面図
【発明を実施するための形態】
【００１０】
本発明は、旋回駆動するベアリングシャフトのベアリングと長孔を有す偏心軸受を上下２段にして、上と下のベアリングを上下２つの長孔に相対させ、上は右、下は左というように対向した長孔の一側と他側に違えて接面し、それぞれの反対側に隙間Ｓを存置させる。このように構成することによってベアリングシャフトは長孔の長手両面に接面した状態で往復動することとなるので、ベアリングシャフトが長孔に押し当たることによって生じていた接触音と関連するガタつき等の障害が一切解消することとなる。
【実施例１】
【００１１】
図１は本発明の第１実施例であって、旋回駆動するベアリングシャフト１は上下２段にてベアリング１ａ，１ｂを嵌着してなり、このベアリングシャフト１は上下２段の偏心軸受２ａ，２ｂの長孔２ｃ，２ｄ内に嵌挿されて、上のベアリング１ａは上の長孔２ｃに相対して一側で接面し、他側に隙間Ｓを存置させている。下のベアリング１ｂは下の長孔２ｄに相対して上のベアリング１ａとは異なる反対の面で長孔２ｄに接面し、他面で隙間Ｓを存置させてなる。
【００１２】
上下２段の偏心軸受２a，２b上には連動するようにして大きな振とう台（図示してない）が載着される。
【００１３】
しかして、ベアリングシャフト１を旋回駆動すると、該シャフト１の旋回に伴って該シャフト１は長孔２ｃ，２ｄ内を往復動して偏心軸受２ａ，２ｂを直線往復運動させて該上の大きな振とう台を直線往復（レシプロ）振とうすることとなる。
【００１４】
この際、ベアリングシャフト１は上下のベアリング１ａ,１ｂが上下の長孔２ｃ，２ｄの一面と他面にそれぞれ接面したまま往復動するので従来生じていた隙間Ｓを押したたく接触音が全く生じないこととなる。このため振とう現場は接触音のない静かな環境となって振とう作業をすすめることができることとなる。
【００１５】
また、ベアリングシャフト１の長孔への接触に伴って生じていた振動による振とう機のガタつき、摩耗等の関連する障害も生じないものとなる。
【００１６】
図２は本発明の第２実施例で、上側の偏心軸受２ａの外側に回転操作により出入するアジャスター３を取付けて、出入させることにより上下の隙間Ｓを連動して広狭調整する。なお３ａはＬ形の取付部材である。
【産業上の利用可能性】
【００１７】
本発明は運転中にベアリングシャフトの接触音が生ぜず、また、これに伴うガタつき，摩耗等の関連する障害も解消することで広く利用されるものである。
【符号の説明】
【００１８】
１はベアリングシャフト
１ａ，１ｂは上下２段のベアリング
２ａ，２ｂは上下２段の偏心軸受
２ｃ，２ｄは上下２段の長孔
３はアジャスター
３ａは取付部材
Ｓは隙間
【図１】
2014050764.tif 000003
【図２】
2014050764.tif 000004
【図３】
2014050764.tif 000005
(57)【要約】【課題】この発明は、幼児用玩具の積み木における単純で少数な積み木片セットを、幾何学模様など多様な形を取り入れ、建物や動物など様々な象りが楽しめ、大人まで利用できる積み木片セットにした、象形積み木を提供する。【解決手段】図１に示すように、厚みの４倍程の長さの四角形の板を基準にし、その四角片１を１個、それを２等分した台形片２、長四角片３、鉤形片４を各２個、４等分した小四角片５、三角片６、角柱片７、円柱片８、Ｔ字形片９、Ｌ字形片１０を各４個、長四角片３を凹形片１１と小半円片１２に分けたもの各２個、円柱片８に１本の線を引いた線引き円柱片１３、線引き円柱片１３の上約半分の半長線引き円柱片１４、円柱片８を約５分の１にした短円柱片１５、基準の長さの４分の３の直径をもつ円形片１６を各１個など、１６種３９個を積み木片のセットにしたことを特徴とする。【選択図】図１
2014050664.tif 000002
【特許請求の範囲】
【請求項１】
図１に示すように、厚みの４倍程の長さの四角形の板を基準にし、その四角片１を１個、それを２等分した台形片２、長四角片３、鉤形片４を各２個、４等分した小四角片５、三角片６、角柱片７、円柱片８、Ｔ字形片９、Ｌ字形片１０を各４個、長四角片３を凹形片１１と小半円片１２に分けたものを各２個、円柱片８に１本の線を引いた線引き円柱片１３、線引き円柱片１３の上約半分の半長線引き円柱片１４、円柱片８を約５分の１にした短円柱片１５、基準の長さの４分の３の直径をもつ円形片１６を各１個など、１６種３９個を積み木片のセットにしたことを特徴とする象形積み木。
【発明の詳細な説明】
【技術分野】
【０００１】  この発明は、幼児用玩具の積み木における単純で少数な積み木片セットを、幾何学模様など多様な形を取り入れ、建物や動物など様々な象りが楽しめ、大人まで利用できる積み木片セットにした、象形積み木に関するものである。
【背景技術】
【０００２】  従来、積み木は、遊びながら想像力や集中力を育む幼児用の知育玩具として定着しているが、積み木片の形が単純で種類と数が少ないため、幼児期を過ぎると見向きもされず、直ぐ利用されなくなっている。（特許文献１、２参照）
【先行技術文献】
【０００３】
【特許文献１】特開２００８−２５３４６５号広報
【特許文献２】特開２００９−０００４７７号広報
【発明の概要】
【発明が解決しようとする課題】
【０００４】  従来の積み木は次のような欠点があった。
（イ）積み木で遊ぶのは、幼児期だけで利用期間が短かい。
（ロ）積み木片の形が単純で組み合わせても変化に乏しく、遊びも単調である。
（ハ）積み木片の種類と数が少なく、積み上げる緊張感や楽しみが少ない。
（二）積んでも象りの多様性や意外性が少なく、創造力をかきたてない。
（ホ）完成時の形の目標設定が立てにくく、積み上げ努力もしにくい。
本発明は、以上のような欠点をなくし、新たな価値を見出すためになされたものである。
【課題を解決するための手段】
【０００５】  図１に示すように、厚みの４倍程の長さの四角形の板を基準にし、その四角片１を１個、それを２等分した台形片２、長四角片３、鉤形片４を各２個、４等分した小四角片５、三角片６、角柱片７、円柱片８、Ｔ字形片９、Ｌ字形片１０を各４個、長四角片３を凹形片１１と小半円片１２に分けたものを各２個、円柱片８に１本の線を引いた線引き円柱片１３、線引き円柱片１３の上約半分の半長線引き円柱片１４、円柱片８を約５分の１にした短円柱片１５、基準の長さの４分の３の直径をもつ円形片１６を各１個など、１６種３９個をセットにして積み木片にする。
本発明は、以上の構成よりなる象形積み木である。
【発明の効果】
【０００６】（イ）積み木で遊ぶ年齢層が広がり、大人でも楽しむことができる。
（ロ）積み木片が多様な形をしているため、形に興味を覚える。
（ハ）積み木片の組合せにより様々な形ができ、想像力をかき立てる。
（二）積み木片が基準の長さで統一されているため、安定性がよく積み重ねが容易である。
（ホ）積み木片の数が多いため、相当高く積むことができ、緊張感を要しスリルを味わうことができる。
（ヘ）自ら想像する完成形や見本図があれば、目標が持て達成感が得られる。
（ト）多様な形を表現できるため、創造性を喚起し、新しい独自の形も発見できる。
（チ）積み木片の収納の際、パズルを楽しみながら整理整頓がされる。
（リ）遊びながら学ぶ知育玩具としての機能密度が非常に高い。
（ヌ）積み木片はすべて四角形に整理できるため、コンパクトに収納できる。
【図面の簡単な説明】
【０００７】
【図１】本発明の象形積み木の積み木片収納時の斜視図である。
【図２】本発明の象形積み木による象形見本「寅さんの顔」の正面図である。
【図３】本発明の象形積み木による象形見本「東京スカイツリー」の正面図である。
【図４】本発明の象形積み木による象形見本「河馬の欠伸」の側面図である。
【図５】本発明の象形積み木による象形見本「駱駝を引く人」の側面図である。
【発明を実施するための形態】
【０００８】  以下、本発明を実施するための形態について、図１の積み木片収納時の斜視図に従って説明する。
（１）四角片１は、板の厚さの４倍程の辺の長さの四角形のもの（以下、この項「基準の板」という）１個
（２）台形片２は、基準の板を中央部斜めに２等分したもの２個
（３）長四角片３は、基準の板を縦に２等分したもの２個
（４）鉤形片４は、基準の板を鉤形に２等分したもの２個
（５）小四角片５は、基準の板を縦横に４等分したもの４個
（６）三角片６は、基準の板を対角線で４等分したもの４個
（７）角柱片７は、基準の板を縦に４等分したもの４個
（８）円柱片８は、角柱形片７を円柱状に丸く削ったもの４個
（９）Ｔ字形片９は、基準の板をＴ字形に４等分したもの４個
（１０）Ｌ字形片１０は、基準の板をＬ字形に４等分したもの４個
（１１）凹形片１１は、長四角片３の中央部を半円形に切り取り、残りの部分の２個
（１２）小半円片１２は、長四角片３から凹形片１１を取り残りの部分の２個
（１３）線引き円柱片１３は、円柱片８の一方から３分の１のところに輪状に線を引いたもの１個
（１４）半長線引き円柱片１４は、線引き円柱片１３の上約半分のもの１個
（１５）短円柱片１５は、円柱片８を長さ約５分の１にしたもの１個
（１６）円形片１６は、基準の長さの４分の３の直径の円形に切ったもの１個
本発明は、以上のような構成の積み木片１６種３９個のセットである。
本発明を使用するときは、従前の積み木と同様に、積み木片を積んだり並べたりして遊ぶが、予め見本図を見るか自分の想像するイメージを持ち、目標を定めて積み上げる。建物や動物、顔や草花など様々な形に象って遊ぶものである。
【符号の説明】
【０００９】    １  四角片
２  台形片
３  長四角片
４  鉤形片
５  小四角片
６  三角片
７  角柱片
８  円柱片
９  Ｔ字形片
１０  Ｌ字形片
１１  凹形片
１２  小半円片
１３  線引き円柱片
１４  半長線引き円柱片
１５  短円柱片
１６  円形片
【図１】
2014050664.tif 000003
【図２】
2014050664.tif 000004
【図３】
2014050664.tif 000005
【図４】
2014050664.tif 000006
【図５】
2014050664.tif 000007
(57)【要約】【課題】  本発明はショルダーバッグとリュックバッグの長所を併せ持ったバッグを提供する。【解決手段】  ショルダーバッグの上部（開口部）と下部（底部）に金具（Ｄカン山高）を取り付ける。そこに金具（移動カン）で長さ調節が出来るようにして、両端に金具（網ナスカン）を取りつけたバンドを接続させる。ショルダーバッグとして片側の肩にかけたまま反対側の肩にそのバンドをかけることでリュックとしての機能をもたせる。【選択図】図１
2014050657.tif 000002
【特許請求の範囲】
【請求項１】
ショルダーバッグの上部（開口部）と下部（底部）にバンド状のものをつけ、ショルダーバッグを肩にかけたままそのバンドを反対側の肩のかけることにより瞬時にリュックになるバッグ。
【発明の詳細な説明】
【技術分野】
【０００１】本発明はショルダーバッグをどちらかの肩にかけたまま、バッグの開口部と底部につけたバンド状のものを反対側の肩にかけることにより一瞬でリュックになるバッグに関するものである。
【背景技術】
【０００２】従来リュックとショルダーバッグはそれぞれの目的に応じて使い分ける別々のバッグである。２ウエイ３ウエイバッグという、一つのバッグに両方の機能をもたせたものもあるが、それらはその都度バンドを付け替えたり肩から一回おろしてかけ直したりと、使い分けが面倒である。
【発明の開示】
【発明が解決しようとする課題】
【０００３】リュックには重い荷物を両肩に分けかけることで体の負担を軽くしまた両手をあけることが出来るという長所があり、ショルダーバッグには荷物の出し入れがしやすいという長所がある。本発明は一つのバッグに両方の長所をもたせ、より便利なバッグにすることにある。
【課題を解決するための手段】
【０００４】ショルダーバッグの両サイド開口部にもともとついている肩にかけるバンドとは別に、片側の上部（開口部）と下部（底部）に取り外し可能なバンド状のものを取り付けたものが本発明のバッグである。
【発明の効果】
【０００５】本発明で取り付けたバンドを、バッグをかけていない側の肩にかけたりはずしたりするだけで、必要に応じてリュック・ショルダーバッグとして瞬時に使い分けることが出来る。
【発明を実施するための最良の形態】
【０００６】以下、本発明の実施の形態を図面に基づき詳細に説明する。【０００７】図１は本発明の外観をバンドを取り付けた状態で体に密着させる側から見た斜視図である。図２は本発明の外観を取り外し可能なバンドを外した状態の図である。リュックとして使う必要がない時にはこの状態で使用する。図３は本発明で取り付けたバンドを使いリュックとして使用しているところを後ろから見た図である。ショルダーバッグをかけていない側の手で、本発明でつけたバンドをひっぱり肩にかけることにより瞬時にリュックになる。この図は右肩にショルダーバッグをかける場合で、左肩にショルダーバッグをかける場合は左右が逆になるだけで使い方は同じである。
【図面の簡単な説明】
【０００８】
【図１】本発明の外観の斜視図である。
【図２】本発明のバンドを取り外した状態の図である。
【図３】本発明をリュックとして使用しているところを後ろから見た図である。
【符号の説明】
【０００９】（１）ショルダーバッグの肩掛け紐、（２）リュック用のバンド（３）金具Ｄカン山高、（４）金具網ナスカン、（５）金具移動カン
【図１】
2014050657.tif 000003
【図２】
2014050657.tif 000004
【図３】
2014050657.tif 000005
(57)【要約】【課題】バックに荷物が入らないときに、バックの出し入れの口をあけたまま、使用するのはみっともない。うまく、バックの容量を増やす方法はないか、という課題があった。【解決手段】従来のバックのチャックに生地を縫い付け、新しいチャックも取りつけ、荷物が多少増えても、バックのチャックを閉められるようにする。【選択図】図２
2014050654.tif 000002
【特許請求の範囲】
【請求項１】
バックのチャックに、バックの容量を大きくするための生地と新しいチャックを取り付け、２つのチャックを使い分けて、バックの容量を増やしたり減らしたりできる、ようにすることで、荷物の量が多い時に、入りきらないという状況を多少解決できるバック
【発明の詳細な説明】
【技術分野】
【００１】この発明は、荷物の多い少ないに合わせて、大きさを大きくしたり小さくしたりするバッグに関する。
【背景技術】
【００２】従来のかばんのうち、ポリエステルなどの合繊のバッグは、図１のようなものしかなかった。
【発明の概要】
【発明が解決しようとする課題】
【００３】従来のバッグは、荷物の量の多い、少ないによって、バックを大きくしたり小さくしたりできなかった。
【課題を解決するための手段】
【００４】従来からあるチャック１を開き、チャック１に生地を縫いつけ、縫い付けた生地の真ん中に、チャック２を取り付ける。
荷物の少ない時はチャック１を開閉し、荷物が多い時は、チャック１を開いて、チャック２を開閉する。
わかりやすくするために、繰り返すと、荷物の少ない時はチャック２を開き、チャック１を閉じることで、荷物の出し入れ口が閉じ、荷物の多い時は、チャック１を開き、チャック２を閉じることで、容量の大きなバックになる。
【発明の効果】
【００５】通常のバックに荷物が入りきらない時にも、あたらしく生地を縫いつけてあるので、、その生地に縫い付けたもう一つのチャック２を使うと、バックの容量が大きくなり、荷物が入りきらないというケースが少なくなる。図を参照されたい。
【発明を実施するための形態】
【００６】図を見ながら読んでいただきたいが、従来の、開け閉め用のチャック１に加え、図のように、生地を縫い付け、その生地にもう一つのチャック２を取りつける。
【図面の簡単な説明】
【００７】
【図１】一般のバックの図である。
【図２】本発案の、従来からあるチャック１に加え、このチャックに生地とチャック２を縫い付けた図である。
【符号の説明】
【００８】１  最初からあるチャック１
２  新しく取りつけたチャック２
３  従来のバック本体
４  本発明の新しく縫い付けた生地
【図１】
2014050654.tif 000003
【図２】
2014050654.tif 000004
(57)【要約】【課題】従来のハンガー、物干し竿等については、シャツ、タオル等の洗濯物をかけて干しても、洗濯物の間に風が通りにくいため洗濯物が乾きにくく、また、洗濯物の乾き方にムラができることがあった。【解決手段】洗濯物をハンガー、物干し竿等にかけて干す際に、洗濯物の間に風が通りやすくするために、洗濯物の中のハンガー、物干し竿等に洗濯開きバサミを設置し、干すためにかけた洗濯物を開く。【選択図】図１
2014050655.tif 000002
【特許請求の範囲】
【請求項１】
洗濯物を干す際に洗濯物を広げるための治具。
【発明の詳細な説明】
【技術分野】
【０００１】  本発明は、洗濯物を干す際に使用する治具に関するものである。
【背景技術】
【０００２】  従来のハンガー、物干し竿等については、シャツ、タオル等の洗濯物を干す際には、かけるだけであり、洗濯物の落下防止のために、洗濯バサミで洗濯物を止めることがあった。
なお、目的は異なるが類似の形状のもので「ズボン干し用物干し掴み」が示されている。（特許文献１参照）
【先行技術文献】
【特許文献】
【０００３】
【特許文献１】  特開１９９８−３０９３９８号公報
【発明の概要】
【発明が解決しようとする課題】
【０００４】  従来のハンガー、物干し竿等については、シャツ、タオル等の洗濯物をかけて干しても、洗濯物の間に風が通りにくいため洗濯物が乾きにくく、また、洗濯物の乾き方にムラができることがあった。
【課題を解決するための手段】
【０００５】  洗濯物をハンガー、物干し竿等にかけて干す際に、洗濯物の間に風が通りやすくするために、洗濯物の中のハンガー、物干し竿等に洗濯開きバサミを設置し、干すためにかけた洗濯物を開く。
【発明の効果】
【０００６】  洗濯物を干す際に、洗濯物の中に洗濯開きバサミを設置することにより、洗濯開きバサミのツバ部が洗濯物を広げ、風が通りやすくなり、洗濯物をムラなく早く乾かすことができる。
【図面の簡単な説明】
【０００７】
【図１】本発明の斜視図（その１）
【図２】本発明の斜視図（その２）
【図３】本発明の斜視図（その３）
【図４】本発明の使用方法（その１）
【図５】本発明の使用方法（その２）
【図６】本発明の使用した状態の斜視図（その１）
【図７】本発明の使用した状態の斜視図（その２）
【発明を実施するための形態】
【０００８】  以下、本発明を実施するための形態について、図面に基づいて説明する。
本発明の洗濯開きバサミ（１）は、ツバ部（２）を持ったことを特徴とする。（図１，２，３）洗濯開きバサミ（１）の取手部（３）を掴むことにより、挟み部（４）が開き、取手部（３）を離すとバネ（５）の力により挟み部（４）が閉じる。
本発明は、以上のような構造である。
本発明を使用する時は、洗濯開きバサミ（１）にて、挟むものが比較的細いハンガー等に設置する場合は、洗濯開きバサミ（１）の挟み部空間（６）の狭いものを使用する。（図１，２）また、物干し竿等の比較的太いものに設置する場合は、挟み部空間（６）の広いものを使用する。（図３）シャツ（９）等を干す場合は、洗濯開きバサミ（１）をハンガー斜め部（７）に設置する。（図４，６）また、タオル（１０）等を干す場合は、洗濯開きバサミ（１）をハンガー水平部（８）に設置する。（図５，７）これにより、ツバ部（２）が洗濯物を広げ、洗濯物の中に風が通りやすくなり、洗濯物をムラなく早く乾かすことができるようになる。
【符号の説明】
【０００９】  １    洗濯開きバサミ
２    ツバ部
３    取手部
４    挟み部
５    バネ
６    挟み部空間
７    ハンガー斜め部
８    ハンガー水平部
９    シャツ
１０  タオル
【図１】
2014050655.tif 000003
【図２】
2014050655.tif 000004
【図３】
2014050655.tif 000005
【図４】
2014050655.tif 000006
【図５】
2014050655.tif 000007
【図６】
2014050655.tif 000008
【図７】
2014050655.tif 000009
(57)【要約】【課題】  水流によって耳の中を傷つけずに、耳垢を隅々まで洗い流す方法を提供する。【解決手段】  シャワーヘッドのシャワー部に図１を装着し、図１の噴出口を耳元まで近づけ耳の中を水流によって洗浄する。入浴時に温水を使えば耳垢は溶けやすくなり、隅々まで行き渡る水流によって余すことなく耳垢を外部に運び出す。【選択図】図１
2014050660.tif 000002
【特許請求の範囲】
【請求項１】
耳かきや綿棒等を使わずに、耳垢を水流によって洗い流す方法である。
【請求項２】
請求項１を実現させるためシャワーヘッドに装着させる装置で、円錐形の本体と、水流噴出口、ラバー製止め具で構成されたものである。
【発明の詳細な説明】
【技術分野】
【０００１】  本発明は、水流で耳垢を除去する装置に関するものである。
【背景技術】
【０００２】  現在に至るまで耳垢除去方法は、耳かき、綿棒、専門家による除去の３通りが主流である。【０００３】  しかし、それぞれが欠点のある方法である。耳かきは外耳道の粘膜を傷つけ外耳炎を引き起こす原因となり、また耳かきの届かない部分への効果はない。綿棒は耳垢を皮膚に塗りつけるだけでなく奥へ押し込んでしまい、また綿棒の届かない部分への効果はない。そして上記２点は棒状であるため鼓膜を突く危険性がある。専門家による除去は確実である半面、時間と料金がかかってしまう。
【発明の概要】
【発明が解決しようとする課題】
【０００４】  解決しようとする問題点は、耳垢除去方法に安全で確実で料金が発生しないものがなかったことである。
【課題を解決するための手段】
【０００５】  本発明は、耳垢除去に安全で確実で料金が発生しない方法を、水流を利用したことによって実現したことが特徴である。
【発明の効果】
【０００６】  水流は棒状の耳垢除去具の届かない部分にまで行き届き、乾燥性及び粘性の耳垢に浸透して柔軟にし、剥がれやすくなったところ水流によって耳の外へ流し出す。入浴時の温水を使うと効果的である。【０００７】  脱着は本体左右のラバー製止め具を使用するが、内側の吸盤によって厚みの違うシャワーヘッドにも適応できる。
【産業上の利用可能性】
【０００８】  本体はプラスティックで構造も単純であることから大量生産が可能で、安価を実現できるものである。
【安全性】
【０００９】  まず、耳は外部から水が入ると鼓膜で遮断されているので体内に侵入することはない。つまり行き止まりになるので、洗い流した垢はすべて外部に流れ出るのである。
【００１０】  懸念される中耳炎は、喉や鼻から細菌が入り込み耳管を通って鼓膜の内側にある中耳に入ってしまうものであり、鼓膜の外側を洗浄する水流との因果関係はない。また水流は、耳かき等のように粘膜に傷をつけることもなく、よって外耳炎をも予防することができる。
【００１１】  耳に水が入ること自体に危険性がないことは、長時間耳に水が入る状態となる潜水夫やスポーツダイビング、水泳等、水中での作業やスポーツ全般が否定されていないことからも判断できる。
【図１】
2014050660.tif 000003
【図２】
2014050660.tif 000004
【手続補正書】
【提出日】平成24年11月15日(2012.11.15)
【手続補正１】
【補正対象書類名】明細書
【補正対象項目名】全文
【補正方法】変更
【補正の内容】
【発明の詳細な説明】
【技術分野】
【０００１】  本発明は、水流で耳垢を除去する装置に関するものである。
【背景技術】
【０００２】  現在に至るまで耳垢除去方法は、耳かき、綿棒、専門家による除去の３通りが主流である。【０００３】  しかし、それぞれが欠点のある方法である。耳かきは外耳道の粘膜を傷つけ外耳炎を引き起こす原因となり、また耳かきの届かない部分への効果はない。綿棒は耳垢を皮膚に塗りつけるだけでなく奥へ押し込んでしまい、また綿棒の届かない部分への効果はない。そして上記２点は棒状であるため鼓膜を突く危険性がある。専門家による除去は確実である半面、時間と料金がかかってしまう。
【発明の概要】
【発明が解決しようとする課題】
【０００４】  解決しようとする問題点は、耳垢除去方法に安全で確実で料金が発生しないものがなかったことである。
【課題を解決するための手段】
【０００５】  本発明は、耳垢除去に安全で確実で料金が発生しない方法を、水流を利用したことによって実現したことが特徴である。
【発明の効果】
【０００６】  水流は棒状の耳垢除去具の届かない部分にまで行き届き、乾燥性及び粘性の耳垢に浸透して柔軟にし、剥がれやすくなったところ水流によって耳の外へ流し出す。入浴時の温水を使うと効果的である。【０００７】  脱着は本体左右のラバー製止め具を使用するが、内側の吸盤によって厚みの違うシャワーヘッドにも適応できる。
【産業上の利用可能性】
【０００８】  本体はプラスティックで構造も単純であることから大量生産が可能で、安価を実現できるものである。
【安全性】
【０００９】  まず、耳は外部から水が入ると鼓膜で遮断されているので体内に侵入することはない。つまり行き止まりになるので、洗い流した垢はすべて外部に流れ出るのである。
【００１０】  懸念される中耳炎は、喉や鼻から細菌が入り込み耳管を通って鼓膜の内側にある中耳に入ってしまうものであり、鼓膜の外側を洗浄する水流との因果関係はない。また水流は、耳かき等のように粘膜に傷をつけることもなく、よって外耳炎をも予防することができる。
【００１１】  耳に水が入ること自体に危険性がないことは、長時間耳に水が入る状態となる潜水夫やスポーツダイビング、水泳等、水中での作業やスポーツ全般が否定されていないことからも判断できる。
【図面の簡単な説明】
【００１２】
【図１】  左側面図  本体は漏斗を横にして耳に温水を流し込むものである。シャワーヘッドへの接着部をシャワーヘッドにあてがい、ラバー製止め具でシャワーヘッド本体の両側に吸盤で固定する。シャワーヘッドから噴き出された温水は漏斗によって細くまとまり、水流噴出口から噴出するのでそれを耳の穴に近付けてピンポイントで耳の中に注入し、垢を洗い流す。
【図２】  正面図  水流噴出口から見た平面図である。両側のラバー製止め具は柔らかいので、シャワーヘッド本体の両側に巻き込むようにして吸盤で固定する。